(57)【要約】【課題】ＤＮＳが存在しないシステムにおいて、ウェブサーバ機能を備える装置にアドレスに変更が生じても当該装置が保持しているウェブページを閲覧できるシステムを提供する。【解決手段】ウェブブラウザ手段たるマイコン部５０を搭載した表示装置ＣＶが、ウェブサーバ機能を有するコントローラＣのアドレスと識別子とを対応付けた管理テーブルを取得することができる構成とし、コントローラＣのアドレスに変更が生じても表示装置ＣＶがコントローラＣのアドレスを特定できるようにした。【選択図】図１
2010219724.tif 000002
【特許請求の範囲】
【請求項１】
住宅内に設置されたコントローラが住宅設備の制御および監視を行うサブシステムと、表示装置と、統合管理装置と、を備え、コントローラと統合管理装置と表示装置とは伝送路を介して相互に接続され、これらコントローラと統合管理装置と表示装置とが宅内ネットワークを構成し、前記表示装置から前記宅内ネットワークを通じて送信される要求メッセージに基づいて前記サブシステムのコントローラが住宅設備の制御および監視を行うとともに当該制御又は監視の結果を示す応答メッセージが当該コントローラから前記表示装置に対して前記宅内ネットワークを通じて送信されるものであり、前記コントローラは、前記制御や監視に関わる内容を含んだ複数のウェブページを保存しており、このウェブページを、前記宅内ネットワークを通じて提供するウェブサーバ機能を有し、前記表示装置は、少なくともコントローラのアドレスを含みウェブページの保存場所を示すウェブページ場所情報が指定されることにより、前記コントローラから提供されるウェブページを画面に表示して閲覧するためのウェブブラウザ機能を有し、前記要求メッセージおよび応答メッセージはウェブページ利用して送信される住宅設備監視制御システムであって、
前記表示装置は、前記宅内ネットワークを通じてデータ通信を行う通信手段と、コントローラのアドレスと識別子とを対応付けてなる第１の管理テーブルおよびウェブページ場所情報をリストとして管理するウェブページ場所情報リストを記憶する記憶手段と、少なくともウェブページを表示する表示手段と、前記コントローラから前記通信手段を介して受け取ったウェブページを前記表示手段に表示させるウェブブラウザ手段と、操作入力を受け付ける操作入力受付手段とを具備し、
前記ウェブブラウザ手段は、記憶手段のウェブページ場所情報リストに記憶されたウェブページ場所情報を指定する操作入力が前記操作入力受付手段で受け付けられた場合には、前記ウェブページ場所情報からアドレスを取得し前記通信手段を介して当該アドレスのコントローラに要求メッセージを送信し、その応答として受け取ったウェブページのデータを前記表示手段に表示させるものであり、
前記統合管理装置は、コントローラのアドレスと識別子を対応付けてなる第２の管理テーブルを記憶している記憶手段を有し、
コントローラは自身のアドレスが変更になると変更後のアドレスおよび識別子を示す変更データを統合管理装置へ送信し、
統合管理装置は、変更データを受信した場合に、記憶手段に記憶されている第２の管理テーブルにおいて変更データに含まれる識別子と対応付けられたアドレスを受信したコントローラの変更後のアドレスに更新登録し、更新された第２の管理テーブルの全部または変更された一部の管理テーブルを示す管理データを表示装置に送信し
表示装置は、通信手段を介して管理データを受信した場合に管理データである第２の管理テーブルの全部または一部と第１の管理テーブルとを比較し、第１の管理テーブルにおいて変更されたアドレスを特定し当該アドレスを含むウェブページ場所情報のアドレスを特定した変更後のアドレスに変更する設定手段を備えることを特徴とした住宅設備監視制御システム。
【請求項２】
前記表示装置の前記ウェブブラウザ手段により前記表示手段にウェブページが表示された場合において、このウェブページの保存場所を示すウェブページ場所情報を記憶手段におけるウェブページ場所情報リストに記憶する操作入力が前記操作入力受付手段で受け付けられたときにウェブブラウザ手段はこのウェブページの保存場所を示すウェブページ場所情報を記憶手段におけるウェブページ場所情報リストに記憶することを特徴とした請求項１記載の住宅設備監視制御システム。
【請求項３】
前記表示装置の記憶手段には、前記ウェブブラウザ手段により前記表示手段に表示されたウェブページの保存場所を示すウェブページ場所情報が履歴リストとして記憶され、
前記ウェブブラウザ手段は履歴リストに記憶されたウェブページ場所情報を選択する操作入力が前記操作入力受付手段で受け付けられたときに前記ウェブページ場所情報からアドレスを取得し前記通信手段を介して当該アドレスのコントローラに要求メッセージを送信し、その応答として受け取ったウェブページのデータを前記表示手段に表示させるものであり、
前記設定手段は通信手段を介して管理データを受信した場合に管理データである第２の管理テーブルの全部または一部と第１の管理テーブルとを比較し変更されたアドレスを特定し当該アドレスを含む履歴リストのウェブページ場所情報のアドレスを特定した変更後のアドレスに変更することを特徴とした請求項１又は２記載の住宅設備監視制御システム。
【請求項４】
いずれかのウェブページには選択不可情報が付与されており、前記ウェブブラウザ手段は選択不可情報が付与されているウェブページの保存場所を示すウェブページ場所情報を履歴リストに記憶しないことを特徴とした請求項３記載の住宅設備監視制御システム。
【発明の詳細な説明】
【技術分野】
【０００１】
本願発明は、住宅内に設置された住宅設備、例えばエアコンや照明器具あるいは種々のセキュリティ機器などの制御および監視を行う住宅設備監視制御システムに関するものである。
【背景技術】
【０００２】
インターネットに接続されウェブサーバ機能を備えるサーバ機器に保存されたウェブページを閲覧するには、インターネットに接続されウェブブラウザ機能を備える端末装置のウェブブラウザ手段において、ウェブページが保存されている場所を示す情報を入力して指定し、ウェブページの閲覧要求メッセージを送信し、その応答としてウェブページのデータを受信する必要がある。このウェブページが保存されている場所を示す情報は、少なくともインターネット上から前記サーバ機器を特定するためにサーバ機器のアドレスを含む必要がある。ただし、通常はドメイン名をウェブブラウザ手段に入力しウェブページの閲覧を実行する。これは、ＤＮＳ（Ｄｏｍａｉｎ  Ｎａｍｅ  Ｓｙｓｔｅｍ）によってドメイン名とアドレスとが対応付けて管理されており、ＤＮＳによってドメイン名とアドレスの変換が行われるからである。ここで、サーバ機器のアドレスに変更が生じた場合であっても、ウェブブラウザ手段においてドメイン名を指定すれば、ＤＮＳによって変更後のアドレスが特定されウェブブラウザ手段によってウェブページを閲覧することが可能である。
ところで、従来よりエアコンや照明器具あるいは種々のセキュリティ機器などの住宅設備の制御および監視を行う住宅設備監視制御システムが提供されている（例えば、特許文献１参照）。そして、かかる住宅設備監視制御システムにおいて、住宅設備の制御や監視に関わる情報（例えば、エアコンや照明器具の動作状態など）を表示デバイス（ＣＲＴやＬＣＤ）に表示することで前記情報を認識し易くするものとして表示装置が用意されている。また近年では、インターネットの普及に伴い、ＴＣＰ／ＩＰやＨＴＴＰなどのインターネットで用いられるプロトコルを使ってシステム内のデータ通信を行うものも提供され始めている。
さらに、住宅設備の制御及び監視を行うコントローラにウェブサーバ機能を搭載し、制御や監視に関わる複数の場面毎に用意された複数のウェブページ（ウェブページ群）をウェブサーバ機能によって表示装置に提供可能とし、表示装置に搭載されているウェブブラウザ機能で当該ウェブページを表示デバイスの画面に表示して閲覧できるようにした住宅設備監視制御システムも提供されている。このようなシステムにおいては、住宅設備の制御状態や監視状態が変化する毎に変化後の場面に対応したウェブページが表示装置に提供され、表示装置においてウェブページを閲覧することにより、使用者が住宅設備の制御や監視に関わる情報（例えば、エアコンや照明器具の動作状態など）を容易に認識できるものである。
【先行技術文献】
【特許文献】
【０００３】
【特許文献１】特開２００４−２９５４０８号公報
【発明の概要】
【発明が解決しようとする課題】
【０００４】
しかしながら、上記従来例である住宅設備監視制御システムにあっては、システム内にＤＮＳが存在せず、コントローラのアドレスが変更された場合において、表示装置においてウェブページを閲覧できないといった問題点が存在した。
【０００５】
本願発明は、上記背景技術に鑑みて発明されたものであり、その課題は、コントローラのアドレスが変更されても表示装置においてウェブページを閲覧可能な住宅設備監視制御システムを提供することである。
【課題を解決するための手段】
【０００６】
上記課題を解決するために、本願請求項１記載の発明では、住宅内に設置されたコントローラが住宅設備の制御および監視を行うサブシステムと、表示装置と、統合管理装置と、を備え、コントローラと統合管理装置と表示装置とは伝送路を介して相互に接続され、これらコントローラと統合管理装置と表示装置とが宅内ネットワークを構成し、前記表示装置から前記宅内ネットワークを通じて送信される要求メッセージに基づいて前記サブシステムのコントローラが住宅設備の制御および監視を行うとともに当該制御又は監視の結果を示す応答メッセージが当該コントローラから前記表示装置に対して前記宅内ネットワークを通じて送信されるものであり、前記コントローラは、前記制御や監視に関わる内容を含んだ複数のウェブページを保存しており、このウェブページを、前記宅内ネットワークを通じて提供するウェブサーバ機能を有し、前記表示装置は、少なくともコントローラのアドレスを含みウェブページの保存場所を示すウェブページ場所情報が指定されることにより、前記コントローラから提供されるウェブページを画面に表示して閲覧するためのウェブブラウザ機能を有し、前記要求メッセージおよび応答メッセージはウェブページ利用して送信される住宅設備監視制御システムであって、前記表示装置は、前記宅内ネットワークを通じてデータ通信を行う通信手段と、コントローラのアドレスと識別子とを対応付けてなる第１の管理テーブルおよびウェブページ場所情報をリストとして管理するウェブページ場所情報リストを記憶する記憶手段と、少なくともウェブページを表示する表示手段と、前記コントローラから前記通信手段を介して受け取ったウェブページを前記表示手段に表示させるウェブブラウザ手段と、操作入力を受け付ける操作入力受付手段とを具備し、前記ウェブブラウザ手段は、記憶手段のウェブページ場所情報リストに記憶されたウェブページ場所情報を指定する操作入力が前記操作入力受付手段で受け付けられた場合には、前記ウェブページ場所情報からアドレスを取得し前記通信手段を介して当該アドレスのコントローラに要求メッセージを送信し、その応答として受け取ったウェブページのデータを前記表示手段に表示させるものであり、前記統合管理装置は、コントローラのアドレスと識別子を対応付けてなる第２の管理テーブルを記憶している記憶手段を有し、コントローラは自身のアドレスが変更になると変更後のアドレスおよび識別子を示す変更データを統合管理装置へ送信し、統合管理装置は、変更データを受信した場合に、記憶手段に記憶されている第２の管理テーブルにおいて変更データに含まれる識別子と対応付けられたアドレスを受信したコントローラの変更後のアドレスに更新登録し、更新された第２の管理テーブルの全部または変更された一部の管理テーブルを示す管理データを表示装置に送信し表示装置は、通信手段を介して管理データを受信した場合に管理データである第２の管理テーブルの全部または一部と第１の管理テーブルとを比較し、第１の管理テーブルにおいて変更されたアドレスを特定し当該アドレスを含むウェブページ場所情報のアドレスを特定した変更後のアドレスに変更する設定手段を備えることを特徴とした。
【０００７】
又、本願請求項２記載の発明では、上記請求項１記載の住宅設備監視制御システムにおいて、前記表示装置の前記ウェブブラウザ手段により前記表示手段にウェブページが表示された場合において、このウェブページの保存場所を示すウェブページ場所情報を記憶手段におけるウェブページ場所情報リストに記憶する操作入力が前記操作入力受付手段で受け付けられたときにウェブブラウザ手段はこのウェブページの保存場所を示すウェブページ場所情報を記憶手段におけるウェブページ場所情報リストに記憶することを特徴とした。
又、本願請求項３記載の発明では、上記請求項１又は２記載の住宅設備監視制御システムにおいて、前記表示装置の記憶手段には、前記ウェブブラウザ手段により前記表示手段に表示されたウェブページの保存場所を示すウェブページ場所情報が履歴リストとして記憶され、前記ウェブブラウザ手段は履歴リストに記憶されたウェブページ場所情報を選択する操作入力が前記操作入力受付手段で受け付けられたときに前記ウェブページ場所情報からアドレスを取得し前記通信手段を介して当該アドレスのコントローラに要求メッセージを送信し、その応答として受け取ったウェブページのデータを前記表示手段に表示させるものであり、前記設定手段は通信手段を介して管理データを受信した場合に管理データである第２の管理テーブルの全部または一部と第１の管理テーブルとを比較し変更されたアドレスを特定し当該アドレスを含む履歴リストのウェブページ場所情報のアドレスを特定した変更後のアドレスに変更することを特徴とした。
又、本願請求項４記載の発明では、上記請求項３記載の住宅設備監視制御システムにおいて、いずれかのウェブページには選択不可情報が付与されており、前記ウェブブラウザ手段は選択不可情報が付与されているウェブページの保存場所を示すウェブページ場所情報を履歴リストに記憶しないことを特徴とした。
【発明の効果】
【０００８】
本願請求項１記載の発明の住宅設備監視制御システムにおいては、コントローラは自身のアドレスが変更になると変更後のアドレスおよび識別子を示す変更データを統合管理装置へ送信し、統合管理装置は、変更データを受信した場合に、記憶手段に記憶されている第２の管理テーブルにおいて変更データに含まれる識別子と対応付けられたアドレスを受信したコントローラの変更後のアドレスに更新登録し、更新された第２の管理テーブルの全部または変更された一部の管理テーブルを示す管理データを表示装置に送信し表示装置は、通信手段を介して管理データを受信した場合に管理データである第２の管理テーブルの全部または一部と第１の管理テーブルとを比較し、第１の管理テーブルにおいて変更されたアドレスを特定し当該アドレスを含むウェブページ場所情報のアドレスを特定した変更後のアドレスに変更する設定手段を備えるので、コントローラのアドレスが変更されても、ウェブページ場所情報を選択して当該ウェブページ場所情報が示すウェブページを閲覧することができる。
【０００９】
又、本願請求項２記載の発明の住宅設備監視制御システムにおいては、特に、前記表示装置のウェブブラウザ手段により表示手段にウェブページが表示された場合において、このウェブページの保存場所を示すウェブページ場所情報を記憶手段におけるウェブページ場所情報リストに記憶する操作入力が前記操作入力受付手段で受け付けられたときにウェブブラウザ手段はこのウェブページの保存場所を示すウェブページ場所情報を記憶手段におけるウェブページ場所情報リストに記憶するので、ウェブページ場所情報リストに新たなウェブページ場所情報を記憶させることができる。
【００１０】
又、本願請求項３記載の発明の住宅設備監視制御システムにおいては、特に、表示装置の記憶手段には、ウェブブラウザ手段により表示手段に表示されたウェブページの保存場所を示すウェブページ場所情報が履歴リストとして記憶され、ウェブブラウザ手段は履歴リストに記憶されたウェブページ場所情報を選択する操作入力が操作入力受付手段で受け付けられたときにウェブページ場所情報からアドレスを取得し通信手段を介して当該アドレスのコントローラに要求メッセージを送信し、その応答として受け取ったウェブページのデータを表示手段に表示させるものであり、設定手段は通信手段を介して管理データを受信した場合に管理データである第２の管理テーブルの全部または一部と第１の管理テーブルとを比較し変更されたアドレスを特定し当該アドレスを含む履歴リストのウェブページ場所情報のアドレスを特定した変更後のアドレスに変更するので、コントローラのアドレスが変更されても、履歴リストからウェブページ場所情報を選択して当該ウェブページ場所情報が示すウェブページを閲覧することができる。
【００１１】
又、本願請求項４記載の発明の住宅設備監視制御システムにおいては、特に、いずれかのウェブページには選択不可情報が付与されており、ウェブブラウザ手段は選択不可情報が付与されているウェブページの保存場所を示すウェブページ場所情報を履歴リストに記憶しないので、閲覧するに相応しくないウェブページに選択不可情報を付与しておけば、当該ウェブページの保存場所を示すウェブページ場所情報が履歴リストに記憶されることを防ぐことができる。
【図面の簡単な説明】
【００１２】
【図１】本実施形態の住宅設備監視制御システムのシステム構成図である。
【図２】同上システムにおける統合管理装置のブロック図である。
【図３】同上システムにおける統合管理装置および表示装置に記憶された管理テーブルである。
【図４】同上システムにおけるコントローラのブロック図である。
【図５】同上システムにおける電流計測装置のブロック図である。
【図６】同上システムにおける表示装置のブロック図である。
【図７】同上システムにおける表示装置にメモリ部に記憶されたお気に入りリストである。
【図８】同上システムにおける統合管理装置および表示装置に記憶された別の管理テーブルである。
【図９】同上システムにおける表示装置にメモリ部に記憶された別のお気に入りリストである。
【発明を実施するための形態】
【００１３】
本実施形態の住宅設備監視制御システムは、図１に示すように、住宅内に設置されたコントローラＣが住宅設備の制御並びに監視を行うサブシステムＳＳと、サブシステムＳＳのコントローラＣと伝送路（エンハンスト・カテゴリ５若しくはカテゴリ６のＬＡＮケーブル）を介して接続される統合管理装置ＴＭと、統合管理装置ＴＭにＬＡＮケーブルを介して接続される表示装置ＣＶと、を備え、これらコントローラＣと統合管理装置ＴＭと表示装置ＣＶとが汎用の通信プロトコル（ＴＣＰ／ＩＰ、ＵＤＰ、ＨＴＴＰなど）を利用した宅内ネットワークを構成している。この宅内ネットワークは、１００ＢＡＳＥ−ＴＸ（ＩＥＥＥ８０２．３ｕ）規格に準拠したローカルエリアネットワーク（ＬＡＮ）であって、ハブに相当する統合管理装置ＴＭに、ネットワーク端末に相当するサブシステムＳＳのコントローラＣや表示装置ＣＶなどがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Ｏｐｔｉｃａｌ  Ｎｅｔｗｏｒｋ  Ｕｎｉｔ）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。また、コントローラＣや表示装置ＣＶや統合管理装置ＴＭのネットワークアドレス、すわなち、プライベート（あるいはローカルともいう。）のＩＰアドレスについては、インターネット接続装置ＭＤがＤＨＣＰ（Ｄｙｎａｍｉｃ  Ｈｏｓｔ  Ｃｏｎｆｉｇｕｒａｔｉｏｎ  Ｐｒｏｔｏｃｏｌ）を用いて自動的に割り当てるようになっている。なお、この種のインターネット接続装置ＭＤおよびＤＨＣＰを用いたネットワークアドレスの自動割り当てについては従来周知であるから詳細な構成についての図示並びに説明は省略する。
また、宅内ネットワークには住宅から離れた遠隔地に設置されたセンタ装置（センタサーバ）ＳＶがインターネットを通じて接続されており、インターネットに接続可能なノート型のパーソナル・コンピュータ、携帯電話機ＭＰ、ＰＤＡ（Ｐｅｒｓｏｎａｌ  Ｄｉｇｉｔａｌ  Ａｓｓｉｓｔａｎｃｅ）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣ宛のメッセージやコントローラＣから宅内ネットワークに属さない端末装置に宛て送信されるメッセージを中継する機能を有している。但し、上述のようなインターネット接続機能を有する携帯型の端末装置やセンタ装置ＳＶは従来周知であるから、詳細な構成についての図示並びに説明は省略する。
統合管理装置ＴＭは、図２に示すようにそれぞれにＬＡＮケーブルを介してサブシステムＳＳのコントローラＣが接続される通信ポート２−１や表示装置ＣＶが接続される通信ポート２−２など、複数の通信ポート２−ｉ（ｉ＝１、２）と、ＬＡＮケーブルを介してインターネット接続装置ＭＤが接続される通信ポート３と、通信ポート２−ｉ、３間の伝送経路を切り換えるとともに通信ポート２−ｉ、３間で転送されるパケットの破棄や通信ポート２−ｉ又は３の遮断若しくは制限等の処理（パケット処理）を実行するパケット処理部４と、ＣＰＵを主構成要素としパケット処理部４を制御して伝送経路を切り換えさせる機能（経路切換機能）やパケットに対するウイルスチェックやフィルタリング等を実行する機能（ネットワークセキュリティ機能）、サブシステムＳＳの構成管理機能等を有する制御部１と、表示装置ＣＶやコントローラＣやインターネット接続装置ＭＤのＭＡＣ（Ｍｅｄｉａ  Ａｃｃｅｓｓ  Ｃｏｎｔｒｏｌ：媒体アクセス制御）アドレスやネットワークアドレス（プライベートのＩＰアドレス）を記憶するための記憶部５と、を備えている。また、パケット処理部４は多数のスイッチ要素を具備し、制御部１の経路切換機能によってスイッチ要素が駆動されることにより任意の１つの通信ポート２ｉ又は３と他の１乃至複数の通信ポート２ｉ又は３との間の伝送経路を切り換えたり、あるいは制御部１のネットワークセキュリティ機能によって異常（例えば、不正なパケットやネットワークに支障を来すほど大量のパケットの流入または流出）が生じている通信ポート２ｉ又は３を遮断若しくは制限するものである。記憶部５は不揮発性メモリからなり、各通信ポート２−ｉに接続されているコントローラＣや表示装置ＣＶ並びに通信ポート３に接続されているインターネット接続装置ＭＤのＭＡＣアドレスやネットワークアドレスを各通信ポート２−ｉ、３と対応させて記憶している。また、記憶手段５は統合管理装置ＴＭ自身のＭＡＣアドレスやネットワークアドレスも記憶しており、統合管理装置ＴＭと表示装置ＣＶとコントローラＣのネットワークアドレスおよびＭＡＣアドレスを表形式で対応させて図３に示されるような管理テーブルとして管理記憶している。
【００１４】
制御部１は、通信ポート２−ｉ、３からパケット処理部４に入ってくるパケットの送信先のアドレス（ＭＡＣアドレス）を監視しており、例えば、通信ポート２−２から入ってきたパケットの送信先のアドレスを記憶部５に記憶しているＭＡＣアドレスと照合し、送信先のアドレスと一致するＭＡＣアドレスのコントローラＣやインターネット接続装置ＴＭ（例えば、コントローラＣ）が接続されている通信ポート２−1と通信ポート２−２との間にのみ伝送経路が形成されるようにパケット処理部４を制御し、形成された伝送経路を介してパケットを通信ポート２−１に送り出させている（経路切換機能）。また、制御部１では、通信ポート２ｉ、３を通過するパケットを常時監視し、異常なパケットを破棄したり、あるいは上述のようにパケット処理部４を制御して異常が生じている通信ポート２ｉ又は３を遮断若しくは制限させている（ネットワークセキュリティ機能）。さらに、制御部１はＵＰｎＰ（ユニバーサル・プラグ・アンド・プレイ）のコントロールポイントの機能を実装しており、後述するようにＵＰｎＰにおいてデバイスの検出を行うＳＳＤＰ（Ｓｉｍｐｌｅ  Ｓｅｒｖｉｃｅ  Ｄｉｓｃｏｖｅｒｙ  Ｐｒｏｔｃｏｌ）を利用してＵＰｎＰのデバイスに相当する各コントローラＣを自動的に検出するようになっている。
【００１５】
次に、サブシステムＳＳについて説明する。
サブシステムＳＳは、照明器具や空調機器（エアコン）並びに電気錠等の住宅設備（設備機器）Ｘｍ（ｍ＝１、２、・・・）と、設備機器Ｘｍの制御並びに監視を行うコントローラＣと、住宅における使用電流を計測する電流計測装置Ｄ、とを備えている。
コントローラＣは、図４に示すようにマイコンを主構成要素とする設備機器コントローラ制御部１０と、宅内ネットワークのＬＡＮケーブルが接続され設備機器コントローラ制御部１０と宅内ネットワークのインタフェースを行うＬＡＮインタフェース部１１と、日本電機工業会（ＪＥＭＡ）の統一規格に適合した設備機器Ｘ１（エアコンや給湯器など）と設備機器コントローラ制御部１０のインタフェースを行うＨＡ（ホームオートメーション）インタフェース部１２と、前記ＪＥＭＡ規格に適合したＨＡ端子（図示せず）を有するＨＡ端子部１３と、当該ＪＥＭＡ規格に適合しない設備機器Ｘ２（照明器具）への給電経路に挿入されるリレー（図示せず）を有するリレー端子部１５と、設備機器コントローラ制御部１０の制御下でリレー端子部１５が有するリレーを駆動する照明器具インタフェース部１４と、マイコンで実行するプログラムや設備機器Ｘ１、Ｘ２の動作状態などの制御情報及び監視情報を記憶するメモリ部１６と、電流計測装置Ｄとの間でデータ通信を行うためのローカルインタフェース部１７と、現在時刻を計時する計時部１８とを備えている。また、図示は省略しているが、商用電源から所望の直流電源を作成して設備機器コントローラ制御部１０やその他の各部に動作電源を供給するための電源回路も備えている。
設備機器コントローラ制御部１０は、ＬＡＮインタフェース部１１を通じて表示装置ＣＶから制御要求のメッセージを受け取ったときにＨＡインタフェース部１２あるいは照明器具インタフェース部１４を介して各設備機器Ｘ１、Ｘ２を個別に制御して運転（照明器具Ｘ２の場合は点灯）と停止（照明器具Ｘ２の場合は消灯）を切り換え、ＬＡＮインタフェース部１１を通じて表示装置ＣＶから監視要求のメッセージを受け取ったときにＨＡインタフェース部１２あるいは照明器具インタフェース部１４を介して各設備機器Ｘ１、Ｘ２の動作状態（運転＜点灯＞又は停止＜消灯＞）を個別に取得するとともに、制御要求や監視要求に対する応答（各設備機器Ｘ１、Ｘ２の動作状態）のメッセージをＬＡＮインタフェース部１１より要求メッセージの送信元である表示装置ＣＶに向けて送信させる機能（制御監視機能）を有する。また、設備機器コントローラ制御部１０は、自己の配下にある設備機器Ｘ１〜Ｘ４の名称並びに動作状態を文字や記号で表示するための多数のウェブページ（ウェブページ群）を保持しており、表示装置ＣＶからの要求に応じて当該ウェブページ群の中から適切なウェブページを選んでＬＡＮインタフェース部１１より表示装置ＣＶに提供（配信）する機能（ウェブサーバ機能）を有している。
【００１６】
電流計測装置Ｄは、図５に示すようにマイコンを主構成要素とするマイコンブロック２０と、住宅盤に収納されている主幹ブレーカ（図示せず）の電源側に設けられて電源線ＰＬより主幹ブレーカに流れ込む電流を検出する電流センサ（カレントトランス）ＣＴと、電流センサＣＴで検出する電流から住宅における使用電流量を計測する電流計測部２１と、コントローラＣの設備機器コントローラ制御部１０との間でデータ通信を行うためのローカルインタフェース部２２と、日本電機工業会の統一規格に適合した設備機器Ｘ３、Ｘ４（エアコンや給湯器など）とマイコンブロック２０のインタフェースを行うＨＡインタフェース部２３と、前記ＪＥＭＡ規格に適合したＨＡ端子（図示せず）を有するＨＡ端子部２４とを備えている。マイコンブロック２０は、電流計測部２１で計測する使用電流の計測値が予め決められている上限値を超えた場合、ローカルインタフェース部２２、１７を通じてコントローラＣの設備機器コントローラ制御部１０に機器停止（電源オフ）指令を送信するか、あるいはＨＡインタフェース部２３を制御してＨＡ端子部２４に接続されている設備機器Ｘ３又はＸ４の電源をオフさせて電力の使い過ぎを防止する機能（デマンド制御機能）と、ローカルインタフェース部２２を介して設備機器コントローラ制御部１０から与えられる指令に応じて設備機器Ｘ３、Ｘ４の動作制御や状態監視を行う機能と、を有している。ここで、マイコンブロック２０にはサブシステムＳＳに含まれる設備機器Ｘ１〜Ｘ４のデマンド制御における優先順位が登録されており、使用電流の計測値が上限値を超えた場合、前記優先順位の高い設備機器Ｘ１、・・・から順番に電源がオフされる。但し、必ずしも電流計測装置Ｄに設備機器Ｘ３、Ｘ４の制御及び監視機能を持たせる必要はなく、コントローラＣの設備機器コントローラ制御部１０が上記デマンド制御機能を搭載してもよい。また、電流計測装置Ｄは必須の構成要件ではなく、電流計測装置Ｄを含まないサブシステムＳＳであっても構わない。
【００１７】
次に、表示装置ＣＶについて説明する。表示装置ＣＶは住宅内の壁面に埋込配設されるものであって、図６に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ並びにＬＥＤ（図示せず）とそれらのドライバ回路を有する表示部５２と、押釦スイッチや液晶ディスプレイの画面上に配設されるタッチパネルを有して操作入力を受け付ける操作部５３と、マイコンで実行するプログラムや種々のデータを記憶するメモリ部５４と、を備えている。また、図示は省略しているが、商用電源から所望の直流電源を作成してマイコン部５０やその他の各部に動作電源を供給するための電源回路も備えている。マイコン部５０にはウェブブラウザが実装されており、コントローラＣ等から提供されるウェブページをウェブブラウザで再生して表示部５２の液晶ディスプレイに表示するとともに、操作部５３のタッチパネルが操作された位置と液晶ディスプレイに表示されているアイコン等との位置関係に応じた操作入力を受け付ける。すなわち、マイコン部５０がウェブブラウザ手段であり、操作部５３が操作入力受付手段である。また、メモリ部５４には、統合管理装置ＴＭと同様に、統合管理装置ＴＭと表示装置ＣＶとコントローラＣのネットワークアドレスおよびＭＡＣアドレスを表形式で対応させた図３に示されるような管理テーブルが記憶さている。さらにメモリ部５４にはコントローラＣの保持する複数のウェブページの保存場所を示す情報であるＵＲＬ（Ｕｎｉｆｏｒｍ  Ｒｅｓｏｕｒｃｅ  Ｌｏｃａｔｏｒ）が１乃至複数個お気に入りリストとして記憶されている。ここでＵＲＬはウェブページを提供するウェブサーバ機能を備える装置（ここではコントローラＣ）を特定するために少なくとも当該装置のネットワークアドレス情報（ここではコントローラＣのネットワークアドレス情報）を含んでいる。
【００１８】
ところで本実施形態においては、統合管理装置ＴＭの制御部１にもウェブサーバ機能が搭載されており、コントローラＣがウェブサーバ機能によって提供するウェブページ（サブシステムＳＳのホームページ）への入り口となるウェブページ（いわゆるポータルサイト）を作成し、宅内ネットワークを通じて表示装置ＣＶに提供（配信）している。例えば、表示装置ＣＶの液晶ディスプレイには、通常、統合管理装置ＴＭで作成された前記ポータルサイトが表示されている。このポータルサイトでは、コントローラＣで提供されるウェブコンテンツ（サブシステムＳＳのホームページ）へのリンクがアイコンで表示されており、アイコン上でタッチパネルが操作されれば、当該アイコンで表示されたリンク先のＵＲＬからネットワークアドレスを特定し、当該ネットワークアドレスが割り当てられているコントローラＣに対して表示装置ＣＶからウェブコンテンツの送信要求メッセージが送信される。そして、送信要求メッセージを受信したコントローラＣが自己の保有するウェブページ群の中から指定されたウェブページを表示装置ＣＶに対して送信すれば、前記ポータルサイトに代わって当該コントローラＣのウェブページが液晶ディスプレイに表示される。
【００１９】
次に、本実施形態の住宅設備監視制御システムのシステムの稼動時の動作について説明する。但しここでは、インターネット接続装置ＭＤが未だ配設されておらず、宅内ネットワークを構成する統合管理装置ＴＭと表示装置ＣＶとコントローラＣとが住宅設備監視制御システムを構成しているものとする。
【００２０】
宅内ネットワークの配線が完了した後、統合管理装置ＴＭ、表示装置ＣＶ、コントローラＣをそれぞれ起動（電源オン）すると、ＵＰｎＰデバイスに相当するコントローラＣの設備機器コントローラ制御部１０および表示装置ＣＶのマイコン部５０からＵＰｎＰのコントロールポイントに相当する統合管理装置ＴＭに対して宅内ネットワークへの参加が告知される。当該告知を受け取った統合管理装置ＴＭの制御部１がＵＰｎＰのデバイスを検索し、告知元のコントローラＣおよび表示装置ＣＶからの応答としてＭＡＣアドレス等の情報を受け取る。統合管理装置ＴＭ、表示装置ＣＶ、コントローラＣはネットワークアドレスを取得するためにＤＨＣＰサーバが宅内ネットワークに存在しないか検索する。ＤＨＣＰサーバ機能を備えた、インターネット接続装置ＭＤは配設されておらず、ＤＨＣＰサーバからネットワークアドレスを取得できない、統合管理装置ＴＭ、表示装置ＣＶ、コントローラＣはＡｕｔｏＩＰモードに切り替わり自身でネットワークアドレスを割り当て、割り当てたネットワークアドレスを、それぞれ記憶する。さらに表示装置ＣＶおよびコントローラＣは自身で割り当てたネットワークアドレス通知するメッセージを統合管理装置ＴＭに送信し、当該メッセージを受け取った統合管理装置ＴＭは記憶部５に図３に示される管理テーブルを作成し記憶する（ここでは、コントローラＣのＭＡＣアドレス００−００−ＡＡとネットワークアドレス１６９．２５４．０．１００と、表示装置ＣＶのＭＡＣアドレス００−００−ＢＢとネットワークアドレス１６９．２５４．０．１０１と、統合管理装置ＴＭのＭＡＣアドレス００−００−ＣＣとネットワークアドレス１６９．２５４．０．２００と、が記憶されている。）とともに記憶部５に記憶しているポータルサイトのリンク先のリストに当該ネットワークアドレスを登録する。そして統合管理装置ＴＭは記憶部５に記憶され管理テーブルを示すデータを表示装置ＣＶに送信し、当該、データを受け取った表示装置ＣＶはメモリ部５４に管理テーブルを記憶する。
【００２１】
次に、表示装置ＣＶにおいてウェブページのＵＲＬを表示装置ＣＶのお気に入りリストに登録する動作および設備機器Ｘｍの制御や監視を行う場合の動作を説明する。
【００２２】
まず、操作部５３の操作釦が押下されるとマイコン部５０がＬＡＮインタフェース部５１より統合管理装置ＴＭに対してポータルサイトの要求メッセージを送信する。統合管理装置ＴＭの制御部１は、記憶部５のリストに登録されているサブシステムＳＳのホームページへのリンクを示すアイコンやサブシステムＳＳの名称を示す文字等を表示するポータルサイトを予め作成して記憶部５に記憶しており当該メッセージを受け取ったときに記憶部５からポータルサイトのデータを読み出して送信要求元の表示装置ＣＶに送信する。
表示装置ＣＶでは、統合管理装置ＴＭから受け取ったウェブページのデータ（ファイル）をマイコン部５０で実行するウェブブラウザで開くことにより、液晶ディスプレイにポータルサイトを表示する。そして、サブシステムＳＳのアイコン上でタッチパネルが操作されれば、当該アイコンで表示されたリンク先のＵＲＬからネットワークアドレスを特定し、当該ネットワークアドレスが割り当てられているコントローラＣに対して、前記ウェブブラウザによってウェブページの送信要求メッセージが送信される。そして、送信要求メッセージを受信したコントローラＣの設備機器コントローラ制御部１０が自己の保有するウェブページのデータを表示装置ＣＶに送信すれば、マイコン部５０で実行するウェブブラウザで当該データ（ファイル）を開くことによりサブシステムＳＳのウェブページ（例えば、ホームページ）が表示部５２の液晶ディスプレイに表示される。このホームページでは、サブシステムＳＳに含まれる設備機器Ｘ１〜Ｘ４の名称と設置場所（例えば、「リビングのエアコン」、「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ホームページに表示される情報から各設備機器Ｘ１〜Ｘ４の動作状態を監視（確認）することができる。
ここで、上述のウェブページが、表示部５２の液晶ディスプレイに表示されている状況において操作部５３で当該ホームページのＵＲＬをお気に入りリストに登録する操作入力が受け付けられるとマイコン部５０は表示中のウェブページのＵＲＬをメモリ部５４に記憶することでお気に入りリストへのＵＲＬ登録を完了する。作成されたお気に入りリストを図７に示す。
ここで、上述のウェブページにおいて、何れかの設備機器Ｘｍの動作状態を反転させる制御、例えば、現在点灯している照明器具（設備機器Ｘ２）を消灯させる制御を行う場合、ホームページにおいて設備機器Ｘ２の動作状態を反転させる操作に対応したボタン上でタッチパネルを操作する。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じてコントローラＣのネットワークアドレス宛に送信される。そして、この要求メッセージを受け取ったコントローラＣの設備機器コントローラ制御部１０では、照明器具インタフェース部１４を介してリレー端子部１５のリレーをオフすることで照明器具（設備機器Ｘ２）を消灯する。その後、設備機器コントローラ制御部１０は照明器具（設備機器Ｘ２）の消灯に対応したウェブページのデータを表示装置ＣＶに送信し、表示装置ＣＶのマイコン部５０で実行するウェブブラウザで当該データ（ファイル）を開くことによりサブシステＳＳの他のウェブページが表示部５２の液晶ディスプレイに表示される。当該ウェブページでは、照明器具（設備機器Ｘ２）の動作状態が点灯から消灯に変更されている。但し、何らかの原因で設備機器Ｘｍの制御に失敗した場合、設備機器コントローラ制御部１０が制御に失敗した旨の応答メッセージを作成してＬＡＮインタフェース部１１より表示装置ＣＶに送信し、表示装置ＣＶの表示部５２（液晶ディスプレイ）にエラーメッセージ（要求された設備機器Ｘｍの制御に失敗した旨の文字）が表示される。
次に、本実施形態の住宅設備監視制御システムにインターネット接続装置ＭＤ配設された場合のシステムの動作について説明する。
ＤＨＣＰサーバ機能を備えるインターネット接続装置ＭＤが配設されると、統合管理装置ＴＭ、表示装置ＣＶ、コントローラＣはそれぞれＤＨＣＰサーバ機能を備えるインターネット接続装置ＭＤによって新たなネットワークアドレスが割り当てられる。このアドレスは上述のＡｕｔｏＩＰモードで取得したネットワークアドレスと異なるものでありアドレスの変更を検知したコントローラＣおよび表示装置ＣＶは、それぞれ変更されたネットワークアドレスとＭＡＣアドレスとを通知するメッセージを統合管理装置ＴＭへ送信し、当該メッセージを受信した統合管理装置ＴＭは、管理テーブルにおいて当該受信したＭＡＣアドレスに対応付けられたネットワークアドレスを当該受信したネットワークアドレスに変更して記憶するとともに、統合管理装置ＴＭ自身のＭＡＣアドレスに対応するネットワークアドレスについても同様に新しく割り当てられたネットワークアドレスに変更して記憶することにより図８に示される管理テーブルが記憶部５に更新記憶される。
さらに統合管理装置ＴＭは、当該更新された管理テーブルのデータを表示装置ＣＶへ送信し、当該管理テーブルのデータ（図８参照）を受信した表示装置ＣＶのマイコン部５０はメモリ部５４に記憶された管理テーブルのデータ（図３参照）と比較し、ＭＡＣアドレスを基に変更されたネットワークアドレスを特定し、変更前のネットワークアドレスがお気に入りリストに記憶されたＵＲＬに含まれる場合は、当該お気に入りリストのＵＲＬにおいて変更前のネットワークアドレスを変更後のネットワークアドレスに変更しお気に入りリストをメモリ部５４に更新登録する。すなわち、変更前のネットワークアドレスの内、お気に入りリストに含まれているもの（１６９．２５４．０．１００）を特定し、当該ＵＲＬのアドレス部分を変更後のアドレス（１９２．１６８．０．２）に変更し図９のようなお気に入りリストを得る。
ここにおいて、表示装置ＣＶの操作部５３においてお気に入りリストのＵＲＬが選択される操作入力が受け付けられると、表示装置ＣＶのマイコン部５０は、メモリ部５４に記憶されたお気に入りリストのＵＲＬからコントローラＣのネットワークアドレス（１９２．１６８．０．２）を特定し、当該ネットワークアドレスが割り当てられているコントローラＣに対してウェブコンテンツの送信要求メッセージが送信される。そして、送信要求メッセージを受信したコントローラＣが自己の保有するウェブページ郡の中から指定されたウェブページを表示装置ＣＶに対して送信すれば、当該コントローラＣのウェブページが液晶ディスプレイに表示される。
したがって、コントローラＣのネットワークアドレスに変更が生れば、表示装置ＣＶがメモリ部５４に記憶しているお気に入りリストのＵＲＬにおいて、ネットワークアドレスが変更後のネットワークアドレスに更新されるので、コントローラＣのウェブページをお気に入りリストから選択して閲覧することができる。
ところで、表示装置ＣＶのメモリ部５４には、マイコン部５０によって、表示部５２に表示されたウェブページのＵＲＬが履歴リストとして記憶される。表示されたウェブページのＵＲＬは原則的にはマイコン部５０によって履歴リストに登録されるが、ウェブページに選択不可情報が含まれている場合は、マイコン部５０は当該ウェブページのＵＲＬを履歴リストに登録しない。ここで選択不可情報が付与されているウェブページとは、コントローラＣが保有するウェブページ郡の中で、ブラウザ上に表示しても設備機器の制御並びに監視に関する操作を受け付けないものであり、例えば、単なる確認画面等が該当する。
表示装置ＣＶの操作部５３において履歴リストのＵＲＬが選択される操作入力が受け付けられると、表示装置ＣＶのマイコン部５０は、メモリ部５４に記憶された履歴リストのＵＲＬからコントローラＣのネットワークアドレスを特定し、当該ネットワークアドレスが割り当てられているコントローラＣに対してウェブコンテンツの送信要求メッセージが送信される。そして、送信要求メッセージを受信したコントローラＣが自己の保有するウェブページ郡の中から指定されたウェブページを表示装置ＣＶに対して送信すれば、当該コントローラＣのウェブページが液晶ディスプレイに表示される。
よって、閲覧するに相応しくないウェブページに選択不可情報を付与しておけば当該ウェブページのＵＲＬが履歴リストに記憶されることを防ぐことができる。
この履歴リストについても、コントローラＣのネットワークアドレスが変更された場合において、ＵＲＬに含まれるネットワークアドレス部分がコントローラＣの変更後のネットワークアドレスに更新されて記憶される。
したがって、コントローラＣのネットワークアドレスに変更が生れば、表示装置ＣＶがメモリ部５４に記憶している履歴リストのＵＲＬにおいて、ネットワークアドレスが変更後のネットワークアドレスに更新されるので、コントローラＣのウェブページを履歴リストから選択して閲覧することができる。
【符号の説明】
【００２３】
Ｃ  コントローラ
ＣＶ  表示装置
Ｄ  電流計測装置
ＭＤ  インターネット接続装置
ＳＳ  サブシステム
ＴＭ  統合管理盤
【図１】
2010219724.tif 000003
【図２】
2010219724.tif 000004
【図３】
2010219724.tif 000005
【図４】
2010219724.tif 000006
【図５】
2010219724.tif 000007
【図６】
2010219724.tif 000008
【図７】
2010219724.tif 000009
【図８】
2010219724.tif 000010
【図９】
2010219724.tif 000011